(57)【特許請求の範囲】
【請求項１】
水平方向に配置されたスキャン電極（以降Ｙ電極とする）群およびサスティン電極（以降Ｘ電極とする）群とを有する前面基板と垂直方向に配置されたアドレス電極（以降Ａ電極とする）群を有する背面基板とを組み合わせたプラズマディスプレイパネルと、
前記Ｙ電極群を駆動するＹ駆動部と前記Ｘ電極群を駆動するＸ駆動部と前記Ａ電極群を駆動するＡ駆動部とを有する駆動部と、
アドレス期間中に前記Ｙ電極群に印加するスキャン電圧と、前記Ａ電極群に印加するアドレス電圧とで放電セルの選択を行い、維持放電期間中に前記Ｙ電極群と前記Ｘ電極群とに印加する放電維持電圧で選択したセルの維持放電を行うよう前記駆動部の制御を行う制御部とを備えたプラズマディスプレイパネルユニットであって、
前記Ｙ電極群と前記Ｘ電極群とは、前記前面基板の中央部で左右に分割され、
前記Ｙ駆動部と前記Ｘ駆動部とは、前記前面基板の左右それぞれに配置されてなり、
前記制御部は、前記維持放電期間中、左右の前記Ｙ駆動部および前記Ｘ駆動部とを、それぞれタイミングをずらせて維持放電するように制御することを特徴とするプラズマディスプレイパネルユニット。
【請求項２】
前記Ａ駆動部は、前記中央部で左右に分割されて配置され、
前記制御部は、左右それぞれ単独で前記Ａ駆動部を制御することを特徴とする請求項１記載のプラズマディスプレイパネルユニット。
【発明の詳細な説明】
【０００１】
【発明の属する技術分野】
本発明は、プラズマディスプレイパネルユニットに係わり、より詳細には、電波妨害などのノイズ妨害を抑えるためのパネルの構造や駆動回路に関する。
【０００２】
【従来の技術】
従来のプラズマディスプレイは、電極の放電による発生する電磁波が周囲の電子機器に電波妨害を与えるという問題があった。特にプラズマディスプレイパネル（以降ＰＤＰとする）では１６０Ｖ以上の高電圧で放電が行われ、高速のパルス電流が繰り返し流れるため、他の機器に比べて不要電波が多く放出されていた。
この問題を解決するため、プラズマディスプレイの筐体および筐体内に電磁シールドを多用して電波の輻射を抑える対策がとられてきた。例えば、前面ガラスには、抵抗膜や金属メッシュを蒸着あるいは貼付などの方法により不要輻射を抑える方法がとられてきている。しかし、電極の放電が前面ガラスの透明電極の内側で行われ、しかも前面が透明であるため、抵抗膜や金属メッシュはガラスの透明度を下げ画面を暗くしたり、モアレが生じるなどの問題があり、シールド対策は不十分であった。
プラズマディスプレイは、ますます高輝度化や点灯パルスの周波数の高速化などが進展し、不要輻射を抑える必要性はますます高まっている。このため、放電時に発生する電磁波の発生要因そのものを、極力抑える方法が望まれていた。
【０００３】
従来のＰＤＰユニットについて、図４（ａ）に要部ブロック図、（ｂ）に外観の斜視図を示す。図４（ａ）に基づいて説明する。
ＰＤＰ５１は、前面基板である透明ガラス基板に水平方向に平行に配置されたＹ電極群２とＸ電極群３とが形成され、背面基板にＹ電極群２とＸ電極群３と直交するＡ電極群４を形成し、それらの交点のセルを選択して放電させ、発生する紫外線で蛍光体を発光させている。
Ｙ電極群２は図の左側に延伸され、それぞれ接続用の端子を有するＹ接続部５ａが端部に形成され、フレキシブル配線シート６を介し、Ｙ電極群２を駆動するためのＹ駆動部７ａに接続される。Ｙ接続部５ａの端子部はＹ電極群２のみが形成され、Ｙ電極群２のみがフレキシブル配線シート６を介しＹ駆動部７ａに接続される。
Ｘ電極群３は図の右側に延伸され、それぞれ接続用の端子を有するＸ接続部５ｂが端部に形成され、フレキシブル配線シート６を介し、Ｘ電極群３を駆動するためのＸ駆動部７ｂに接続される。Ｘ接続部５ｂの端子部はＸ電極群３のみが形成され、Ｘ電極群３のみがフレキシブル配線シート６を介しＸ駆動部７ｂに接続される。
Ａ電極群４は図の下側あるいは上側に延伸され、それぞれ接続用の端子を有するＡ接続部５ｃが端部に形成され、フレキシブル配線シート６を介し、Ａ電極群４を駆動するためのＡ駆動部９に接続される。各々の駆動部は、点灯セルの選択や放電のための制御を行う制御部１０に接続され、制御される。
制御部１０は、タイミング生成回路１０ａ、電圧生成回路１０ｂおよびデータ処理回路１０ｃを有し、各駆動部の制御を行う。
タイミング生成回路１０ａでは、アドレス期間にＹ電極群２を順次スキャンし、その間点灯させるセルにＡ電極群４から電圧を加えて選択し、維持放電期間にＹ電極群２とＸ電極群３間に交流電圧を加えて維持放電させるようにタイミング制御を行う。電圧生成回路１０ｂは、電位の消去、アドレスの選択および維持放電などのために必要な所定電圧を生成する。データ処理回路１０ｃは入力信号を一旦メモリに蓄え、アドレス期間のＹ電極群２のスキャンのタイミングに合わせて点灯すべきデータを順次Ａ駆動部９に出力する。
【０００４】
以上のような従来構成のＰＤＰユニットの回路は、図４（ｂ）のような等価回路図に示される。この等価回路は特開平5-290742公告に提案されている、グランドラインを安定化するものとして提案されている回路と同様のものを想定したものである。
ここで、ＰＤＰ５１の各セルは、等価的にＹ電極群２とＸ電極群３との間のコンデンサと、Ｙ電極群２とＡ電極群４との間のコンデンサで示される。
アドレス期間で、スイッチングトランジスタやＭＯＳＦＥＴなどのスイッチ素子であるスイッチ２６にスキャン電圧（ーＶＳＣ）をＹ電極群２に加え、Ａ駆動部９からスイッチ２８を介し、点灯すべきセルに対するＡ電極群４にアドレス電圧（＋ＶＡ）を加えることでセルを選択する。この時、点灯すべきセルのＹ電極群２とＡ電極群４の間のコンデンサにループ電流Ｒ５２が流れる。
放電維持期間では、Ｘ駆動部７ｂのスイッチ２１にサステイン電圧（＋ＶＳ）をＸ電極群３に加え、Ｙ駆動部７ａのスイッチ２５をオンし、Ｙ電極群２をグランド電位にすると選択されたセルに放電が発生する。この時、点灯するルのＹ電極群２とＸ電極群３の間のコンデンサにループ電流Ｒ５２が流れる。次にスイッチ２１をオフし、スイッチ２３をオンすると、Ｘ電極群３には負のサステイン電圧（−ＶＳ）が印加され、グランド電位であるＹ電極群２との間に維持放電電圧が加わるので選択されたセルが維持放電する。この時、点灯すべきセルのＹ電極群２とＸ電極群４の間のコンデンサに逆方向のループ電流Ｒ５１が流れる。放電維持期間では、この放電が繰り返され、ループ電流Ｒ５１は電流方向を正逆入れ換えて繰り返し流れる。
【０００５】
ところで、従来のＰＤＰユニットは、ＰＤＰの電極の端子がＹ電極群２とＸ電極群３が左右に分かれ、Ｙ駆動部７ａとＸ駆動部７ｂも左右の配置されているため、電流ループＲ５１が大きく、従って、この大きな放電電流ループＲ５１から多量の不要な電波が放射されていた。同様にアドレス電流ループＲ５２からも不要な電波が放射されているが、このループの電流は少ないので影響は比較的少なかった。いずれにしても、不要な電波の輻射を抑えるために、如何にこれらの電流ループを小さくするかが重要なポイントであった。しかるに、従来は、この点を考慮したＰＤＰおよびＰＤＰユニットは提供されていなかった。
【０００６】
【発明が解決しようとする課題】
本発明は上記問題点に鑑みなされたもので、不要な電波輻射やノイズ妨害を抑えるためにプラズマディスプレイパネルや駆動回路などの構造や配置を最適化したプラズマディスプレイユニットを提供することを目的とする。
【０００７】
【課題を解決するための手段】
本発明は、上記問題点を解決するため、水平方向に平行に配置されたＹ電極群およびＸ電極群とを有する前面基板と垂直方向に配置されたＡ電極群を有する背面基板とを組み合わせたプラズマディスプレイパネルと、前記Ｙ電極群を駆動するＹ駆動部と前記Ｘ電極群を駆動するＸ駆動部と前記Ａ電極群を駆動するＡ駆動部とを有する駆動部と、アドレス期間中に前記Ｙ電極群に印加するスキャン電圧と、前記Ａ電極群に印加するアドレス電圧とで放電セルの選択を行い、維持放電期間中に前記Ｙ電極群と前記Ｘ電極群とに印加する放電維持電圧で選択したセルの維持放電を行うよう前記駆動部の制御を行う制御部と、前記プラズマディスプレイパネルと前記駆動部とを接続するためのフレキシブル配線シートと、前記背面基板の背面を覆うアース部材とを備えたプラズマディスプレイパネルユニットであって、前記Ｙ電極群と前記Ｘ電極群とは、水平方向に対向する両辺のいずれか一方の端部まで延伸されるとともに、前記前面基板の一方の端部に前記Ｙ駆動部と前記Ｘ駆動部とに接続するためのＸＹ接続部を備え、前記駆動部は、前記Ｙ駆動部と前記Ｘ駆動部とを前記ＸＹ接続部に接続するためのＸＹ処理部を備えてなり、前記Ｙ駆動部、前記Ｘ駆動部および前記ＸＹ処理部とを、前記ＸＹ接続部の近傍に配置するとともに、それぞれ接続した。
【０００８】
前記Ｘ駆動部に、前記維持放電期間中に前記Ｘ電極群に流れるサステイン電流を供給するためのコンデンサを設けた。
【０００９】
前記Ｙ駆動部と前記Ｘ駆動部と前記ＸＹ接続部と前記コンデンサとを接続するラインを、他のラインより太くした。
【００１０】
前記Ｙ駆動部に、前記スキャン電圧を供給するための第二のコンデンサを設けるとともに、前記Ａ駆動部に、前記アドレス電圧を供給するための第三のコンデンサを設けた。
【００１１】
前記アース部材を、抵抗膜、金属膜、金属板、シートまたはメッシュなどの導電性部材とする。
【００１２】
前記アース部材を、前記駆動部および前記制御部のグランドラインに接続する。
【００１３】
前記フレキシブル配線シートを、シールドする。
【００１４】
前記Ｙ駆動部、前記Ｘ駆動部および前記ＸＹ処理部とを、共通基板に構成する。
【００１５】
水平方向に配置されたスキャン電極（以降Ｙ電極とする）群およびサスティン電極（以降Ｘ電極とする）群とを有する前面基板と垂直方向に配置されたアドレス電極（以降Ａ電極とする）群を有する背面基板とを組み合わせたプラズマディスプレイパネルと、
前記Ｙ電極群を駆動するＹ駆動部と前記Ｘ電極群を駆動するＸ駆動部と前記Ａ電極群を駆動するＡ駆動部とを有する駆動部と、
アドレス期間中に前記Ｙ電極群に印加するスキャン電圧と、前記Ａ電極群に印加するアドレス電圧とで放電セルの選択を行い、維持放電期間中に前記Ｙ電極群と前記Ｘ電極群とに印加する放電維持電圧で選択したセルの維持放電を行うよう前記駆動部の制御を行う制御部とを備えたプラズマディスプレイパネルユニットであって、
前記Ｙ電極群と前記Ｘ電極群とは、前記前面基板の中央部で左右に分割され、
前記Ｙ駆動部と前記Ｘ駆動部とは、前記前面基板の左右それぞれに配置されてなり、
前記制御部は、前記維持放電期間中、左右の前記Ｙ駆動部および前記Ｘ駆動部とを、それぞれタイミングをずらせて維持放電するように制御することを特徴とする。
【００１６】
前記Ａ駆動部は、前記中央部で左右に分割されて配置され、
前記制御部は、左右それぞれ単独で前記Ａ駆動部を制御することを特徴とする。
【００１８】
【発明の実施の形態】
以下に発明の実施の形態について、図に基づいて詳細な説明を行う。
図１は本発明のＰＤＰユニットの第一の実施例を示し、（ａ）は要部ブロック図、（ｂ）は要部回路図を示す。図１（ａ）に基づいて説明する。なお、従来例で示した図４と同一の機能を有する部分は同一の番号を付している。
ＰＤＰ１は、前面基板である透明ガラス基板に水平方向に平行に配置されたＹ電極群２とＸ電極群３とが形成され、背面基板にＹ電極群２とＸ電極群３と直交するＡ電極群４を形成している。
Ｙ電極群２とＸ電極群３とは図の左側に平行して延伸され、それぞれ交互に並んだ接続用の端子を有するＸＹ接続部５ａｂが端部に形成され、フレキシブル配線シート６を介し、駆動部７のＸＹ処理部７ｃに接続処理され、Ｙ電極群２を駆動するためのＹ駆動部７ａおよびＸ電極群３を駆動するためのＸ駆動部７ｂとに接続される。
【００１９】
Ａ電極群４は図１で示すように下側に延伸し、接続用の端子を有するＡ接続部５ｃが端部に形成され、フレキシブル配線シート６を介し、Ａ電極群４を駆動するためのＡ駆動部９に接続される。各々の駆動部は、点灯セルの選択や放電のための制御を行う制御部１０に接続され、制御される。制御部１０は、タイミング生成回路１０ａ、電圧生成回路１０ｂおよびデータ処理回路１０ｃを有し、各駆動部の制御を行う。各部への電源は電源部１２から供給される。なお、これらの基本動作は従来例と同一なので省略する。
【００２０】
図１（ｂ）は本発明の第一の実施例での要部の等価回路を示す。基本的な動作は従来例と同一であり、詳細は省略するが、本実施例では、Ｙ電極群２とＸ電極群３とを平行して一方の辺に端子を形成し、同一の辺の近傍に設けられたＹ駆動部７ａとＸ駆動部７ｂとに最短で接続されている。
さらに、Ｙ駆動部７ａとＸ駆動部７ｂとの近傍にはＶＳ電源用の高周波特性の良好なコンデンサ３１、３２が設けられ、コンデンサ３１、スイッチ２１、Ｘ電極群３、Ｙ電極群２およびスイッチ２５で形成される放電用の電流ループＲ１は最優先で短くなるように配置、配線されている。このように、Ｘ、Ｙ各電極群とＸ、Ｙ各駆動部とを極力近接させることで、電流ループＲ１は小さくなり、また、特に高速パルス電流の供給能力の十分な容量のコンデンサ３１をスイッチ２１の近傍の最短位置に挿入したので、ピーク電流はコンデンサ３１から供給され、通常電源部に配置される場合に比較して電流ループＲ１は小さくなり、電波の放射は減少する。逆方向の電流ループＲ１も、コンデンサ３２はスイッチ２３の近傍に配置され、コンデンサ３２からスイッチ２３、Ｘ電極群３、Ｙ電極群２およびスイッチ２５で形成される放電用の電流ループを短くするので、電波の放射は減少する。
【００２１】
また、アドレス回路の電流ループＲ２は、＋ＶＡ電源からＡ駆動部に設けたコンデンサ３４に蓄えられた電荷がスイッチ２８を介しＡ電極群４に印加され、Ｙ電極群２、スイッチ２６を経由してＹ駆動部７ａに設けられたコンデンサ３３に流れるように形成しており、コンデンサ３３、３４が電源部内のみに設けられた従来に比較して電流経路を最小となるようにしている。コンデンサ３３、３４も高周波特性の良好なものを使用しており、かつ、パルス電流供給に十分な容量をもつものとしている。
以上のように、コンデンサ３３、３４により電流ループＲ１、Ｒ２をそれぞれ短くし、ピークパルス電流の供給源をそれぞれの電流ループの近傍に設けたので、不要電波の放射を減少させることができる。
特に、Ｙ駆動部７ａ、Ｘ駆動部７ｂ、ＸＹ処理部７ｃ、ＸＹ接続部５ａｂおよび各コンデンサ３１、３２、３３、３４とは短い太い配線とし、特に図１（ｂ）に示す太線のグランドラインに相当するラインを太くしている。これによりノイズの防止と安定動作とを行うことができる。
【００２２】
図２は、本発明の第二の実施例を示す要部ブロック図である。基本的な構成と回路動作は第一の実施例と同様であり、詳細説明は省略するが、第二の実施例では、まず、Ｙ電極群２とＸ電極群３とをＰＤＰの中央で左右に分離し、それぞれの端子部を左右のＸＹ接続部５ａｂに備えている。さらに、左右のＸＹ接続部５ａｂからそれぞれ左右に設けたＸＹ処理部７ｃを介し、それぞれＹ駆動部７ａ、Ｘ駆動部７ｂとに接続処理している。
Ａ電極群４もＰＤＰの中央部から左右に分離され、図の下側に延伸され、接続用の端子を有するＡ接続部５ｃが端部に形成され、フレキシブル配線シート６を介し、Ａ電極群４を駆動するための分割されたＡ駆動部９にそれぞれ接続される。
【００２３】
以上のように、ＰＤＰは左右に分割され、各駆動部も左右に設けられており、電流ループを最小となるように形成されている。各駆動部には第一の実施例で説明した各コンデンサも電流ループが最小となるように配置されており、しかも、特にＹ電極群２とＸ電極群３とは、左右分離されたことで、ＰＤＰ内の電極の長さは半減するので、不要な電波の輻射もさらに抑えられる。
なお、Ａ駆動部は左右共通での制御も可能であるが、分離することで左右単独での制御が可能で、特に、維持放電を左右異なるタイミングで行わせることで、放電エネルギーが半減し、不要な電波の輻射もさらに抑えることができる。
【００２４】
図３は本発明のＰＤＰユニットおよびこれを用いたプラズマディスプレイの構造を示す断面図である。
ＰＤＰ１の背面にはアルミ製のアース板１２が装着され、さらにその背面にはシャーシ１３がスペーサ１４により固定されている。シャーシ１３にはＹ駆動部７ａ、Ｘ駆動部７ｂ、Ａ駆動部９、制御部１０および電源部１１が装着されている。ＰＤＰ１の前面には抵抗膜を有するシートが貼付されている。ＰＤＰ１の各接続部からはフレキシブル配線シート６が各駆動部に接続されている。フレキシブル配線シート６はシールドされている。以上で構成されるＰＤＰユニットＡは、ディスプレイＢの筐体内に取り付けられている。
ＰＤＰ１の背面全体にアルミ製のアース板１２を装着し、かつ、アース板１２をグランドラインに設置したことで、Ｙ電極群２、Ｘ電極群３およびＡ電極群をアース電位に近づけ、各電極群のアンテナ効果を防止し、不要電波の放射を抑えることができる。アース板１２のアース部材としては、抵抗膜、金属膜、金属板、シートまたはメッシュなどの蒸着、貼付などでもよい。
また、アース板１２、シャーシ１３、スペーサ１４、および抵抗膜シート１５、シールド６ｃなどを共通のアースに電気的に接続して同電位にするようにしたので、導電部がアンテナ効果を持ち、不要な電波が放射される現象を防止している。
【００２５】
【発明の効果】
以上のように本発明によると、ＰＤＰユニットの前面基板に、Ｙ電極群とＸ電極群とをいずれか一方の端部に延伸し、Ｙ駆動部とＸ駆動部に接続するための端子とが交互に並んで形成されるＸＹ接続部を備え、背面基板に、Ａ電極群を駆動するＡ駆動部に接続するための端子が形成されるＡ接続部を備え、駆動部は、Ｙ駆動部、Ｘ駆動部、Ａ駆動部およびＹ駆動部とＸ駆動部とをＸＹ接続部に接続処理するためのＸＹ処理部を備え、Ｙ駆動部、Ｘ駆動部およびＸＹ処理部とを、ＸＹ接続部が設けられた前面基板の一方の辺の近傍に配置するとともに、配線が短くなるように接続したので、不要な電波輻射やノイズ妨害を抑えたＰＤＰユニットを提供することができる。
【図面の簡単な説明】
【図１】  本発明のＰＤＰユニットの第一の実施例を示し、（ａ）は要部ブロック図、（ｂ）は要部回路図を示す。
【図２】  本発明の第二の実施例を示す要部ブロック図である。
【図３】  本発明のＰＤＰユニットの構造を示す断面図である。
【図４】  従来例におけるＰＤＰユニットの、（ａ）に要部ブロック図、（ｂ）に要部回路図を示す。
【符号の説明】
１  ＰＤＰ
２  Ｙ電極群
３  Ｘ電極群
４  Ａ電極群
５ａｂ  ＸＹ接続部
５ｃ  Ａ接続部
６  フレキシブル配線シート
６ｃ  シールド
７  駆動部
７ａ  Ｙ駆動部
７ｂ  Ｘ駆動部
７ｃ  ＸＹ処理部
９  Ａ駆動部
１０  制御部
１０ａ  タイミング生成回路
１０ｂ  電圧生成回路
１０ｃ  データ処理回路
１１  電源部
１２  アース板
１２  電源部
１３  シャーシ
１４  スペーサ
１５  抵抗膜シート
２１、２２、２３、２４  スイッチ
３１、３２、３３、３４  コンデンサ
Ｒ１、Ｒ２  電流ループ
【図１】
0004500403.tif 000002
【図２】
0004500403.tif 000003
【図３】
0004500403.tif 000004
【図４】
0004500403.tif 000005